(57)【要約】      （修正有）【課題】広い工場または学校の敷地内に放送用スピーカーを設置する場合、放送設備に近い建築物の壁、柱等に取り付けることなしに、できる限り遠く離れた距離でパワースイッチが作動し、音声信号が到達できるような放送設備を実現する。【解決手段】できる限りアンテナの利得を高くすることと、ポールの先端に取り付けた太陽光発電パネル６の枠にアンテナを取り付けることで見通しのよい高い位置に設置することができることで解決を図る。【選択図】図１
2011041112.tif 000002
【特許請求の範囲】
【請求項１】
離れた場所から携帯型小電力無線スイッチ、即ちスイッチ送信機（１）を操作することで、ポールに装着した放送装置の中の音声受信機（１３）と出力アンプ（１４）およびスイッチ操作に必要な回路の一部を残し、他の電源を遮断することで該音声受信機と該出力アンプから発生する放送時以外のノイズ音の発生を防ぎ、且つ通電によるそれら機器の劣化および通電時の落雷による故障を防止することと、
電源を遮断することでバッテリー（１０）の消耗を極力少なくすることと、
必要なときに移動しながら前記スイッチ送信機を操作して、トランシーバー（３）によって発信した音声を、前記音声受信機で受信し、その電波から変換した音声をスピーカー（５）で拡声する無線拡声装置。
【請求項２】
請求項１のスイッチ送信機（１）により放送装置の電源をＯＮにして出力アンプ（１４）から音声出力がある一定時間、音声が停止した場合は請求項１に記載の電源を遮断する無線拡声装置。
【請求項３】
放送装置を収めた盤をポールに装着し、更に太陽光発電をポールに装着して該放送装置の電源とするため、ポール外への配線を必要としない無線拡声装置。
【発明の詳細な説明】
【技術分野】
【０００１】
本発明は、太陽光発電を利用した拡声装置であって、遠方から必要なときに特定小電力無線機の電源スイッチを遠隔操作することによって、スピーカーから音声を拡声するシステムに関する。
【背景技術】
【０００２】
校庭や工場構内の離れた場所に屋外スピーカーを設置する場合、音声回線の配線が必要であった。
例えば、放送設備の操作盤や操作卓を屋内に設置し、屋外の離れた場所にスピーカーを設置する場合は、操作盤や操作卓からスピーカーまでの間、埋設・露出等何らかの配線が必要であった。
また、従来の放送設備では緊急を要する呼び出し放送等においては、マイクの設置場所からでないと放送ができない不便性があった。
【０００３】
更にまた、移動しながら放送するにはワイヤレスマイクがあるが、狭い範囲でしか電波が届かないので行動に制約があった。また、随時放送可能な状態を保つ場合は、放送設備の電源は常に入れた状態にしておかなければならないので、スピーカーからハム音やノイズ音が発生したり、更に余分な待機電力の消費に繋がったりする問題があった。
【先行技術文献】
【特許文献】
【０００４】
【特許文献１】特許公開平１１−４９４８１
【特許文献２】特許公開２００１−２９８３７６
【発明の概要】
【発明が解決しようとする課題】
【０００５】
広い工場または学校の敷地内に放送用スピーカーを設置する場合は、校舎あるいは工場建物から離れた場所の隅に設置し、音の指向を考えてスピーカーの向きは建物の方向に、即ち、敷地から見て内向きにスピーカーを設置するのが一般的である。しかし、そのような配置では放送設備からスピーカーまでの距離が遠くなり、配線工事に費用がかかることから、放送設備に近い建築物の庇や壁・柱にスピーカーを取り付ける場合が多く見受けられる。
【０００６】
従ってそのような場合は、スピーカーを校庭または工場では屋外方向に向かって取り付けるため、敷地の外方向に音が流れ近隣の住民に騒音として迷惑がかかる問題があった。
【０００７】
また、放送を行う場合、その都度放送室またはマイクが設置されている場所に行かなければ放送ができなかった。
【課題を解決するための手段】
【０００８】
本発明では、それらの問題を解決するために、太陽光発電パネルを取り付けたポールにスピーカーとアンテナ並びに小電力無線受信機および出力アンプ等を盤の中に取り付けて一本のポールに装備することで独立した放送設備とするものである。
【０００９】
音声を伝えるマイクは、携帯型小電力無線発信機、即ち、トランシーバー（３）を使用するものとし、ポール（８）に取り付けた音声受信用アンテナ（４）を経由して固定型小電力音声受信機、即ち、音声受信機（１３）で変換した音声を出力アンプ（１４）によりスピーカー（５）で拡声するものとする。
【００１０】
また、本発明は放送中止時には電源を切っておくことでスピーカーから出るハム音やノイズ音を防止し、また、バッテリーの消耗や通電による機器の劣化あるいは落雷の回避ができるため、ポールに設けられた太陽光発電電源を放送設備から一部を残して遮断するものとする。
【００１１】
従って、電源のＯＮ・ＯＦＦを行う方法としては、携帯ボタンスイッチ型小電力無線発信機、即ち、スイッチ送信機（１）を用いて、押しボタンＯＮスイッチ（１７）を押すことによりスイッチ受信用アンテナ（２）を経由して固定型小電力スイッチ受信機、即ち、押しボタンスイッチ受信機（１１）を作動させてその出力接点からパワースイッチ（１２）を働かせて、放送設備の電源をＯＮまたはＯＦＦにするものである。
【００１２】
故に、トランシーバー（３）とスイッチ送信機（１）を１セットにして携行し、放送する直前に該スイッチ送信機の押しボタンＯＮスイッチ（１７）を操作してから該トランシーバーに向って音声を発すれば放送が可能である。また、放送終了後は該スイッチ送信機の押しボタンＯＦＦスイッチ（１８）を操作して電源を遮断しておくものとする。
【００１３】
また、前記スイッチ送信機の押しボタンＯＦＦスイッチの操作を忘れる等で、放送設備の電源がＯＮの状態になったままの場合で、一定時間無音状態が続けばタイマー（１６）によって前記押しボタンを押した時と同様自動的に電源回路を遮断するものとする。
【発明の効果】
【００１４】
以上のごとく本発明は、既存の無線機器と放送機器および太陽光発電を組み合わせたものであるが、単なる組合せではなくそれぞれのもつ異質の機能を有機的に組み合わせて一つにした放送システムであり、スピーカー配線や電源配線の必要がないので日照以外に設置位置に制約を受けることがなく、音声が外部に騒音として影響しないようにスピーカーの方向を内側に向けて設置できる等の効果が大である。
【００１５】
更に、本発明では必要時のみ電源をONにして不必要なときはOFFにできるので落雷の兆候があればＯＦＦにしておけば、落雷による故障を回避することができる。また、長時間の電源通電による機器の劣化も減少する効果がある。
【００１６】
更にまた、スイッチ送信機（１）とトランシーバー（３）を携行すれば校庭・構内の電波の届く範囲内であれば殆どの場所から放送可能であり、また、複数のトランシーバーがあれば同時に複数の人が放送することも可能である。
【００１７】
従って従来型の場合では、緊急時に放送設備の電源スイッチのあるところまで駆けつけてスイッチを入れてから放送する必要があったが、本発明では前記スイッチ送信機（１）とトランシーバー（３）があり、電波の届く場所からならどこからでも放送ができ、緊急事態発生時でも直ちに放送することが可能である。
【００１８】
前記スイッチ送信機（１）とトランシーバー（３）が複数機あれば、尚一層効果がある。
【図面の簡単な説明】
【００１９】
【図１】放送設備のシステム図
【図２】スイッチ送信機の外形図
【図３】盤内の回路図
【図４】スイッチのＯＮ・ＯＦＦから拡声までの流れ図
【発明を実施するための形態】
【００２０】
以下、本発明の実施の形態を図１・図２・図３・図４に基づいて説明する。
【００２１】
本発明は、図１のごとく携帯ボタンスイッチ型特定小電力無線発信機、即ち、スイッチ送信機（１）と同じく携帯型小電力無線発信機、即ち、トランシーバー（３）を同時に携行し、離れた場所に設置した太陽光発電パネルを装備したポール（８）に取り付けたそれぞれの受信アンテナに電波を送信するものである。
【００２２】
図２は、スイッチ送信機（１）の外観図であり、押しボタンＯＮスイッチ（１７）と押しボタンＯＦＦスイッチ（１８）を有している。
【００２３】
スイッチ送信機（１）の電波は、図３のスイッチ受信用アンテナ（２）を経由して無線スイッチ受信機（１１）を作動させる。該無線スイッチ受信機には、外部出力接点が設けられており、その接点から更にパワースイッチ（１２）を作動させて音声受信機（１３）と出力アンプ（１４）の電源をＯＮにする。
【００２４】
前記音声受信機（１３）の電源がＯＮすると、トランシーバー（３）の音声電波は音声受信用アンテナ（４）を経て該音声受信機に入り、出力アンプ（１４）からスピーカー（５）により拡声音を発する。
【００２５】
本発明の無線拡声装置は、遠隔スイッチで電源をＯＮ・ＯＦＦするので電源表示灯の点灯状態を確認することができない。従って、図４の流れ図のごとく電源を切り忘れた場合の対策としてスピーカーからの音声出力が、一定時間無音状態が続けば出力レベルスイッチ（１５）により出力を検出し、その低出力をタイマー（１６）によって自動的に電源を遮断するものとする。
【実施例】
【００２６】
構造は、ポール（８）の上部に太陽光発電パネル（６）とスピーカー（５）およびスイッチ受信用アンテナ（２）と音声受信用アンテナ（４）を堅固に取り付け、下部にコントローラー（９）、バッテリー（１０）、無線スイッチ受信機（１１）、パワースイッチ（１２）、音声受信機（１３）、出力アンプ（１４）を収めた盤（７）を固定する。
【００２７】
機能は、先ず太陽光発電パネルで発電した電力はコントローラー（９）によりバッテリー（１０）に充電し、該バッテリーからそれぞれの機器に通電するものとする。
【００２８】
しかし、通常は無線スイッチ受信機（１１）にのみ通電されており、他の機器は電源を遮断した状態とする。
【００２９】
そこで、スイッチ送信機（１）の押しボタンＯＮスイッチ（１７）を押して電波を発信させ、スイッチ受信用アンテナ（２）を経て無線スイッチ受信機（１１）の接点出力により出力アンプ（５）および音声受信機（１３）の電源をＯＮにすることにより、トランシーバー（３）の音声電波は音声受信用アンテナ（４）を通じて該音声受信機に入り、出力アンプ（１４）からスピーカー（５）により拡声音を発する。
【００３０】
放送終了後は、スイッチ送信機（１）の押しボタンＯＦＦスイッチ（１８）を押して電波を発信させ、スイッチ受信用アンテナ（２）を経て無線スイッチ受信機（１１）の接点出力により出力アンプ（１４）および音声受信機（１３）の電源をＯＦＦにすることにより、ノイズの発生を防ぎ同時に通電による機器の劣化や落雷による破損を防止する。
【００３１】
スイッチ送信機（１）とトランシーバー（３）をストラップ（１９）等で離れないように繋ぎ合わせて携行できるようにすることで一層利用効果がある。
【産業上の利用可能性】
【００３２】
本発明は、従来型のような学校または工場等での特定の場所に設置されたマイクからの放送だけでなく、移動しながら放送ができるので緊急時や災害時にも利用可能である。
【符号の説明】
【００３３】
１スイッチ送信機
２スイッチ受信用アンテナ
３トランシーバー
４音声受信用アンテナ
５スピーカー
６太陽光発電パネル
７盤
８ポール
９コントローラー
１０バッテリー
１１無線スイッチ受信機
１２パワースイッチ
１３音声受信機
１４出力アンプ
１５出力レベルスイッチ
１６タイマー
１７押しボタンＯＮスイッチ
１８押しボタンＯＦＦスイッチ
１９ストラップ
【図１】
2011041112.tif 000003
【図２】
2011041112.tif 000004
【図３】
2011041112.tif 000005
【図４】
2011041112.tif 000006